(57)【特許請求の範囲】
【請求項１】
両側に夫々貫通孔が穿設されるボード本体と、前記ボード本体の正面下部から互いに平行するように上部レール及び下部レールが延設されるレールと、を備えるラックと、
前記上部レール及び下部レールに摺動可能に設置されるフック上腕部及びフック下腕部を備えるフック部と、上面から下面まで貫通する挿設孔と、前面を切欠くと共に、上面から下面まで貫通するように、前記挿設孔と連通する切欠き口と、両側側面に夫々凹設される変形凹部とからなる前記フック部の外面から延出する中空の挿設部とを有すると共に、摺動可能に前記レールに設置される複数の工具挿設部材と、を有し、
前記変形凹部と挿設孔との間における最小距離が、前記挿設部の側面と切欠き口との間における最小距離より短いことを特徴するツールラック。
【請求項２】
前記ラックのボード本体に設置され、板状のハンガー本体と、前記ハンガー本体の前面から延出すると共に、前記ボード本体の上部及び下部を夫々挟持する２つの挟持腕部と、前記ハンガー本体の後面から延出するハンガー腕部とを備える２つのハンガーを有し、
前記レールにおける上部レール及び下部レールは板状を呈し、前記上部レールと下部レールとの間にスペースが形成され、
前記工具挿設部材のフック上腕部及びフック下腕部が、前記上部レール及び下部レールに摺動可能に設置されることを特徴とする請求項１に記載のツールラック。
【請求項３】
前記挿設部が前記切欠き口の両側に夫々形成されるガイド面部を備え、
前記挿設孔が円形を呈し、前記挿設部の上面から下面まで貫通すると共に、前面近傍に形成され、前記変形凹部が弧状を呈することを特徴する請求項２に記載のツールラック。
【請求項４】
前記挿設部が切欠き口の両側に夫々形成されるガイド面部を備え、
前記挿設孔がU字形を呈し、前記挿設部の上面から下面まで貫通すると共に、前面近傍に形成され、
前記変形凹部が弧状を呈することを特徴する請求項２に記載のツールラック。
【請求項５】
ボード本体と、前記ボード本体の正面から延出するレールとを備えるラックと、
前記レールに摺動可能に設けられるフック部と、前記フック部と連結すると共に、両側に夫々形成される第２部分と、両側中央に形成されると共に、前記第２部分より厚い第１部分を備えるＣ字形の断面を有する本体と、前記本体の前側に形成される切欠き口と、前記切欠き口の両側に形成されると共に、前記本体から延出する傾斜状のガイド片体とからなる挿設部を備えると共に、摺動可能に前記レールに設置される複数の工具挿設部材と、を有することを特徴するツールラック。
【請求項６】
前記ラックのボード本体に設置され、ハンガー本体と、前記ハンガー本体の前面から延出すると共に、前記ボード本体の上部及び下部を夫々挟持する２つの挟持腕部と、前記ハンガー本体の後面から延出するハンガー腕部とを備えると共に、２つのハンガーを有することを特徴とする請求項５に記載のツールラック。
【請求項７】
前記ガイド片体が、前記切欠き口の両側に形成されると共に、前側に向かって前記本体から延出するものであり、
さらに、前記挿設部が、前記ボード本体と平行するように、前記ガイド片体から横方向に沿って延出する２つの横片部と、前記横片部とフック部とを連結する２つの連結片体と、前記フック部の中央と、前記本体と、前記連結片体とを連結する強化片体を備えることを特徴とする請求項５又は６に記載のツールラック。
【請求項８】
前記ガイド片体が、前記切欠き口の両側に形成されると共に、前側に向かって前記本体から延出するものであり、
さらに、前記挿設部が、前記ボード本体と平行するように、前記ガイド片体から横方向に沿って延出する２つの横片部と、前記フック部と本体との間に形成されると共に、それらを連結する２つの連結片体を備え、
前記挿設部における本体の両側内面に夫々変形凹部が凹設されることを特徴とする請求項５又は６に記載のツールラック。
【発明の詳細な説明】
【技術分野】
【０００１】
本発明は、特に手工具を簡単にツールボードに引っ掛けられると共に、隣のハンドツール同士の距離も調整可能なツールラックに関するものである。
【背景技術】
【０００２】
従来のツールラックは、ツールボードに掛止して手工具を収納、陳列するものであり、さらに、従来のツールラックは、ツールボードに掛止するための細長状のラックを有し、前記ラックに複数のハンガーが固設され、前記ハンガーに収容孔が穿設されて手工具の柄を挿入することができる。
【発明の概要】
【発明が解決しようとする課題】
【０００３】
しかしながら、従来のツールラックにおいては、複数のハンガーがラックに固定されることから、手工具を引っ掛けるハンガーの位置を調整することができないので、使用上、非常に不便であった。
【課題を解決するための手段】
【０００４】
本願の請求項１の発明は、両側に夫々貫通孔が穿設されるボード本体と、前記ボード本体の正面下部から互いに平行するように上部レール及び下部レールが延設されるレールと、を備えるラックと、
前記上部レール及び下部レールに摺動可能に設置されるフック上腕部及びフック下腕部を備えるフック部と、上面から下面まで貫通する挿設孔と、前面を切欠くと共に、上面から下面まで貫通するように、前記挿設孔と連通する切欠き口と、両側側面に夫々凹設される変形凹部とからなる前記フック部の外面から延出する中空の挿設部とを有すると共に、摺動可能に前記レールに設置される複数の工具挿設部材と、を有し、
前記変形凹部と挿設孔との間における最小距離が、前記挿設部の側面と切欠き口との間における最小距離より短いことを特徴するツールラック、を提供する。
【０００５】
本願の請求項２の発明は、前記ラックのボード本体に設置され、板状のハンガー本体と、前記ハンガー本体の前面から延出すると共に、前記ボード本体の上部及び下部を夫々挟持する２つの挟持腕部と、前記ハンガー本体の後面から延出するハンガー腕部とを備える２つのハンガーを有し、
前記レールにおける上部レール及び下部レールは板状を呈し、前記上部レールと下部レールとの間にスペースが形成され、
前記工具挿設部材のフック上腕部及びフック下腕部が、前記上部レール及び下部レールに摺動可能に設置されることを特徴とする請求項１に記載のツールラック、を提供する。
【０００６】
本願の請求項３の発明は、前記挿設部が前記切欠き口の両側に夫々形成されるガイド面部を備え、
前記挿設孔が円形を呈し、前記挿設部の上面から下面まで貫通すると共に、前面近傍に形成され、前記変形凹部が弧状を呈することを特徴する請求項２に記載のツールラック、を提供する。
【０００７】
本願の請求項４の発明は、前記挿設部が切欠き口の両側に夫々形成されるガイド面部を備え、
前記挿設孔がU字形を呈し、前記挿設部の上面から下面まで貫通すると共に、前面近傍に形成され、
前記変形凹部が弧状を呈することを特徴する請求項２に記載のツールラック、を提供する。
【０００８】
本願の請求項５の発明は、ボード本体と、前記ボード本体の正面から延出するレールとを備えるラックと、
前記レールに摺動可能に設けられるフック部と、前記フック部と連結すると共に、両側に夫々形成される第２部分と、両側中央に形成されると共に、前記第２部分より厚い第１部分を備えるＣ字形の断面を有する本体と、前記本体の前側に形成される切欠き口と、前記切欠き口の両側に形成されると共に、前記本体から延出する傾斜状のガイド片体とからなる挿設部を備えると共に、摺動可能に前記レールに設置される複数の工具挿設部材と、を有することを特徴するツールラック、を提供する。
【０００９】
本願の請求項６の発明は、前記ラックのボード本体に設置され、ハンガー本体と、前記ハンガー本体の前面から延出すると共に、前記ボード本体の上部及び下部を夫々挟持する２つの挟持腕部と、前記ハンガー本体の後面から延出するハンガー腕部とを備えると共に、２つのハンガーを有することを特徴とする請求項５に記載のツールラック、を提供する。
【００１０】
本願の請求項７の発明は、前記ガイド片体が、前記切欠き口の両側に形成されると共に、前側に向かって前記本体から延出するものであり、
さらに、前記挿設部が、前記ボード本体と平行するように、前記ガイド片体から横方向に沿って延出する２つの横片部と、前記横片部とフック部とを連結する２つの連結片体と、前記フック部の中央と、前記本体と、前記連結片体とを連結する強化片体を備えることを特徴とする請求項５又は６に記載のツールラック、を提供する。
【００１１】
本願の請求項８の発明は、前記ガイド片体が、前記切欠き口の両側に形成されると共に、前側に向かって前記本体から延出するものであり、
さらに、前記挿設部が、前記ボード本体と平行するように、前記ガイド片体から横方向に沿って延出する２つの横片部と、前記フック部と本体との間に形成されると共に、それらを連結する２つの連結片体を備え、
前記挿設部における本体の両側内面に夫々変形凹部が凹設されることを特徴とする請求項５又は６に記載のツールラック、を提供する。
【発明の効果】
【００１２】
本発明のツールラックは上記の課題を解決するものであり、手工具を簡単にツールボードに引っ掛けられると共に、隣のハンドツール同士の距離も調整することができる。
【図面の簡単な説明】
【００１３】
【図１】本発明に係るツールラックの使用状態を示す斜視図である。
【図２】本発明に係るツールラックの第１実施例における工具挿設部材の斜視図である。
【図３】本発明に係るツールラックの第１実施例におけるツールボードの使用状態を示す斜視図である。
【図４Ａ】本発明に係るツールラックの第１実施例において、ドライバーを固定した状態を示す部分断面図である。
【図４Ｂ】図４Ａの部分拡大図である。
【図５Ａ】本発明に係るツールラックの第１実施例において、ドライバーを固定した状態を示す斜視図である。
【図５Ｂ】図５Ａの部分拡大図である。
【図６】本発明に係るツールラックの第１実施例において、ドライバーを固定した状態を示す斜視図である。
【図７】図６の端部の部分断面図である。
【図８】本発明に係るツールラックの第２実施例の使用状態を示す斜視図である。
【図９】本発明に係るツールラックの第２実施例における２つのツールラックをツールボードに取り付けた状態を示す斜視図である。
【図９Ａ】図９の部分拡大図である。
【図１０】本発明に係るツールラックの第２実施例における工具挿設部材の斜視図である。
【図１１】本発明に係るツールラックの第２実施例において、ドライバーを固定した状態を示す斜視図である。
【図１２】図１１の端部の部分断面図である。
【図１３】本発明に係るツールラックの第１実施例において、ドライバーを固定した状態を示す部分断面図である。
【図１３Ａ】図１３の部分拡大図である。
【図１４】本発明に係るツールラックの第３実施例における工具挿設部材の斜視図である。
【図１５】本発明に係るツールラックの第３実施例において、ドライバーを固定した状態を示す部分断面図である。
【図１６】本発明に係るツールラックの第３実施例において、ドライバーを固定した状態を示す斜視図である。
【発明を実施するための形態】
【００１４】
以下、添付図面を参照して本発明の好適な実施の形態を詳細に説明する。
【００１５】
図１は本発明に係るツールラックの使用状態を示す斜視図であり、図２は本発明に係るツールラックの第１実施例における工具挿設部材の斜視図であり、図３は本発明に係るツールラックの第１実施例におけるツールボードの使用状態を示す斜視図であり、図４Ａは本発明に係るツールラックの第１実施例において、ドライバーを固定した状態を示す部分断面図であり、図４Ｂは図４Ａの部分拡大図であり、図５Ａは本発明に係るツールラックの第１実施例において、ドライバーを固定した状態を示す斜視図であり、図５Ｂは図５Ａの部分拡大図であり、図６は本発明に係るツールラックの第１実施例において、ドライバーを固定した状態を示す斜視図であり、図７は図６の端部の部分断面図であり、図８は本発明に係るツールラックの第２実施例の使用状態を示す斜視図であり、図９は本発明に係るツールラックの第２実施例における２つのツールラックをツールボードに取り付けた状態を示す斜視図であり、図９Ａは図９の部分拡大図であり、図１０は本発明に係るツールラックの第２実施例における工具挿設部材の斜視図であり、図１１は本発明に係るツールラックの第２実施例において、ドライバーを固定した状態を示す斜視図であり、図１２は図１１の端部の部分断面図であり、図１３は本発明に係るツールラックの第１実施例において、ドライバーを固定した状態を示す部分断面図であり、図１３Ａは図１３の部分拡大図であり、図１４は本発明に係るツールラックの第３実施例における工具挿設部材の斜視図であり、図１５は本発明に係るツールラックの第３実施例において、ドライバーを固定した状態を示す部分断面図であり、図１６は本発明に係るツールラックの第３実施例において、ドライバーを固定した状態を示す斜視図である。
【００１６】
図１乃至図４Ｂに示すように、本発明に係るツールラックの第１実施例は、ラック１０と、複数の工具挿設部材２０と、２つのハンガー３０とを有するものである。
【００１７】
その内、前記ラック１０は、壁やツールボートなどに取り付けられ、上部両側に夫々穿設される貫通孔１１１を備える長方体のボード本体１１と、前記ボード本体１１の正面下部から延出すると共に、互いに平行する板状の上部レール１２１及び下部レール１２２と、前記上部レール１２１と下部レール１２２との間に形成されるスペース１２３とを含むレール１２と、を備えるものである。尚、前記上部レール１２１及び下部レール１２２は、フック状を呈することが好ましい。
【００１８】
前記工具挿設部材２０は、摺動可能に前記レール１２に設置され、フック部２１と、挿設部２２とを備え、前記フック部２１は、摺動可能に前記ラック１０に設置するために、前記上部レール１２１及び下部レール１２２に摺動可能に夫々設けられるフック上腕部２１１及びフック下腕部２１２とを備える。
【００１９】
前記挿設部２２は、手工具４０を引っ掛けるために、前記フック部（２１の外面）から延出する中空の直方体を呈し、上面から下面まで貫通すると共に、前面近傍に形成される円形またはU字形の挿設孔２２１と、前面を切欠くと共に、上面から下面まで貫通するように、前記挿設孔２２１と連通する切欠き口２２２と、前記切欠き口２２２の両側に夫々形成されるガイド面部２２３と、右側及び左側の側面に夫々凹設される弧状の変形凹部２２４とを備える。
【００２０】
図７に示すように、変形凹部２２４と挿設孔２２１との間に形成される最小距離Ａは、前記挿設部２２の側面と切欠き口２２２との間に形成される最小距離Ｂより短い構造となっている。
【００２１】
図１、３及び図４Ｂに示すように、ハンガー３０は、夫々ラック１０のボード本体１１の両端に取り付けられ、板状を呈するハンガー本体３１と、前記ハンガー本体３１の前面から延出すると共に、ボード本体１１の上部及び下部を夫々挟持する２つの挟持腕部３２と、壁に掛止するために、前記ハンガー本体３１の後面から延出するハンガー腕部３３とを備える。
【００２２】
図３、５Ａ及び図５Ｂに示すように、ラック１０は、ハンガー３０のハンガー腕部３３を介して壁やツールボードなどに掛止されると共に、ボルトを、ボード本体１１の貫通孔１１１を介してナットと組み合わせることにより、ラック１０を安定的に壁やツールボードに固定することができる。
【００２３】
図１、６及び図７に示すように、フック部２１のフック上腕部２１１及びフック下腕部２１２がレール１２の上部レール１２１及び下部レール１２２に摺動可能に設置されるので、工具挿設部材２０を摺動可能にラック１０に設置することができる。
【００２４】
図７を示すように、工具挿設部材２０には弾力を有することから、手工具４０の柄部４１を切欠き口２２２を差し込んで挿設孔２２１に嵌め込む時、工具挿設部材２０は一旦変形してから、元の形状に戻るので、手工具４０の柄部４１を強固に挟持することができる。
【００２５】
図１及び図７を示すように、工具挿設部材２０は、摺動可能にレール１２に設置されることから、隣の工具挿設部材２０との距離を調節することができるので、サイズの異なる手工具４０を固定することができ、さらに、変形凹部２２４と挿設孔２２１との間における最小距離Ａは、挿設部２２の側面と切欠き口２２２との間における最小距離Ｂより短いので、工具挿設部材２０の切欠き口２２２において弾性を機能させることができる。
【００２６】
図８乃至図１０及び図１４乃至図１６に示すように、本発明に係るツールラックの第２実施例と第３実施例は、ラック１０Ａと、複数の工具挿設部材２０Ａ,２０Ｂと、２つのハンガー３０Ａとを有するものである。
【００２７】
その内、前記ラック１０Ａは、上部両端に夫々穿設される貫通孔１１１Ａを備える長方体のボード本体１１Ａと、前記ボード本体１１Ａの正面下部から延出すると共に、断面Ｔ字形の、互いに平行する上部レール１２１Ａ及び下部レール１２２Ａと、前記上部レール１２１Ａと下部レール１２２Ａとの間に形成されるスペース１２３Ａとを含むレール１２Ａとを備えるものである。
【００２８】
図８及び図１０を示すように、工具挿設部材２０Ａ,２０Ｂは、摺動可能にレール１２Ａに設置され、フック部２１Ａ,２１Ｂと、挿設部２２Ａ,２２Ｂとを備え、前記フック部２１Ａ,２１Ｂは、摺動可能にラック１０Ａに設置するために、前記上部レール１２１Ａ及び下部レール１２２Ａに夫々摺動可能にフック上腕部２１１Ａ及びフック下腕部２１２Ａが設けられる。
【００２９】
図１０、図１２、図１４及び図１５に示すように、前記挿設部（２２Ａ,２２Ｂ）は管状を呈し、前記フック部（２１Ａ,２１Ｂ）と連結され、両側から前方向かって夫々形成される第２部分（Ｓ）と、両側中央に形成されると共に、該第２部分（Ｓ）より厚い第１部分（Ｆ）とを備える、断面Ｃ字形の本体と、該本体の前側に形成される切欠き口（２２１Ａ,２２１Ｂ）とを備える。尚、第２実施例の挿設部（２２Ａ）の第２部分（Ｓ）は夫々、本体の両側前端、または、前記切欠き口（２２１Ａ）の両側近傍に形成されるものであり、第３実施例の挿設部（２２Ｂ）の第２部分（Ｓ）においては、本体の両側内面に夫々変形凹部（２２１２Ｂ）が凹設されることによって、第１部分（Ｆ）より薄い第２部分が形成される。
【００３０】
さらに、前記挿設部２２Ａ,２２Ｂは、前記切欠き口２２１Ａ,２２１Ｂの両側に夫々形成されると共に、前側に向かって前記本体から延出する傾斜状のガイド片体２２２Ａ,２２２Ｂと、前記ボード本体１１Ａと平行すると共に、前記ガイド片体２２２Ａから横方向に沿って延出する２つの横片部２２３Ａ,２２３Ｂとを備える。尚、第２実施例の挿設部２２Ａは、夫々前記２つの横片部２２３Ａとフック部２１Ａとを連結する２つの連結片体２２４Ａと、前記フック部２１Ａの中央と前記本体と前記連結片体２２４Ａとを連結する強化片体２２５Ａとを備えると共に、第３実施例の挿設部２２Ｂには、前記フック部２１Ｂと本体との間に形成されると共に、それらを連結する２つの連結片体２２４Ｂが設けられる。
【００３１】
図１３及び図１３Ａを示すように、ハンガー３０Ａは、ラック１０Ａのボード本体１１Ａの両端に設置され、板状を呈するハンガー本体３１Ａと、前記ハンガー本体３１Ａの前面から延出すると共に、前記ボード本体１１Ａの上部及び下部を夫々挟持する２つの挟持腕部３２Ａと、壁に掛けるために、前記ハンガー本体３１Ａの後面から延出するハンガー腕部３３Ａとを備える。
【００３２】
図９、図１１、図１３、図１３Ａ及び図１６に示すように、手工具４０Ａ,５０Ａ（例えば、ドライバーやレンチなど）の柄部４１Ａ,５１Ａは、前記工具挿設部材２０Ａにおける挿設部２２Ａの上方から挿設し、または、前側から前記挿設部２２Ａの切欠き口２２１Ａを横方向に通過させて工具挿設部材２０Ａの挿設部２２Ａに差し込むことができる。
【００３３】
前記手工具４０Ａ,５０Ａの柄部４１Ａ,５１Ａは、前側から前記挿設部２２Ａ,２２Ｂの切欠き口２２１Ａ,２２１Ｂを横方向に通過させて工具挿設部材２０Ａ,２０Ｂの挿設部２２Ａ,２２Ｂに差し込むが、この時、前記切欠き口２２１Ａ,２２１Ｂの両側における傾斜状のガイド片体２２２Ａ,２２２Ｂによって、前記切欠き口２２１Ａ,２２１Ｂを容易に通過させることができる。さらに、前記挿設部２２Ａ,２２Ｂは断面Ｃ字形を呈するので、挿設部２２Ａ,２２Ｂが弾性を持ち、手工具４０Ａ,５０Ａの柄部４１Ａ,５１Ａが通過すると、弾的により一旦広がった挿設部２２Ａ,２２Ｂが復位するので、強固に挟持することできる。
【００３４】
また、前記手工具４０Ａ,５０Ａを取り外す時には、直接に前記手工具４０Ａ,５０Ａ）を前側に向かって引けば、前記手工具４０Ａ,５０Ａの柄部４１Ａ,５１Ａが切欠き口２２１Ａ,２２１Ｂを通過して解放される。
【００３５】
図９を示すように、工具挿設部材２０Ａ,２０Ｂは、摺動可能にレール１２Ａに設置されることから、隣の工具挿設部材２０Ａ,２０Ｂとの距離を調節できるので、様々なサイズの手工具４０Ａを固定することができる。
【産業上の利用可能性】
【００３６】
本発明に係るツールラックは上記の構成を有するので、ツールボードに簡単に固定できると共に、隣のハンドツールの距離を調整することができるので、様々なサイズの手工具を収納することができる。
【符号の説明】
【００３７】
１０,１０Ａ            ラック
１１,１１Ａ            ボード本体
１１１, １１１Ａ    貫通孔
１２１, １２１Ａ    上部レール
１２２, １２２Ａ    下部レール
１２３, １２３Ａ    スペース
２０, ２０Ａ,２０Ｂ    工具挿設部材
２１, ２１Ａ,２１Ｂ    フック部
２１１                フック上腕部
２１２, ２１２Ａ    フック下腕部
２２, ２２Ａ,２２Ｂ    挿設部
２２１                挿設孔
２２１２Ｂ            変形凹部
２２２, ２２１Ａ,２２１Ｂ        切欠き口
２２２Ａ,２２２Ｂ    ガイド片体
２２３                ガイド面部
２２３Ａ,２２３Ｂ    横片部
２２４                変形凹部
２２４Ａ,２２４Ｂ    連結片体
２２５Ａ              強化片体
Ａ                        最小距離
Ｂ                        最小距離
３０,３０Ａ            ハンガー
３１,３１Ａ            ハンガー本体
３２,３２Ａ            挟持腕部
３３,３３Ａ            ハンガー腕部
４０,４０Ａ,５０Ａ    手工具
４１,４１Ａ,５１Ａ    柄部
【図１】
0005621167.tif 000002
【図２】
0005621167.tif 000003
【図３】
0005621167.tif 000004
【図４Ａ】
0005621167.tif 000005
【図４Ｂ】
0005621167.tif 000006
【図５Ａ】
0005621167.tif 000007
【図５Ｂ】
0005621167.tif 000008
【図６】
0005621167.tif 000009
【図７】
0005621167.tif 000010
【図８】
0005621167.tif 000011
【図９】
0005621167.tif 000012
【図９Ａ】
0005621167.tif 000013
【図１１】
0005621167.tif 000014
【図１３】
0005621167.tif 000015
【図１３Ａ】
0005621167.tif 000016
【図１６】
0005621167.tif 000017
【図１０】
0005621167.tif 000018
【図１２】
0005621167.tif 000019
【図１４】
0005621167.tif 000020
【図１５】
0005621167.tif 000021